(57)【要約】【課題】回路規模と消費電力を増大させることなく、大容量高速伝送機能を実現することができるベースバンド変調方法及びその装置を提供することを目的とする。【解決手段】高速情報伝送の指示があるとき入力される複数系列の送信情報のうち任意の１系列の送信情報を複数系列にシリアル／パラレル変換して複数の拡散変調手段に供給し、高速情報伝送の指示がないとき入力される複数系列の送信情報をそのまま前記複数の拡散変調手段に供給し、複数の拡散変調手段で拡散変調された信号を加算多重して出力することにより、複数の拡散変調手段を１つの送信情報のために使用して並列伝送することができ、ＨＳＤＰＡの高速大容量の情報伝送が可能となる。【選択図】　　　図６
2004064154.tif 000002
【特許請求の範囲】
【請求項１】
ＱＰＳＫによる拡散変調を１次変調方式として用いるＣＤＭＡ通信システムのベースバンド変調方法において、
高速情報伝送の指示があるとき入力される複数系列の送信情報のうち任意の１系列の送信情報を複数系列にシリアル／パラレル変換して複数の拡散変調手段に供給し、高速情報伝送の指示がないとき入力される複数系列の送信情報をそのまま前記複数の拡散変調手段に供給し、
複数の拡散変調手段で拡散変調された信号を加算多重して出力することを特徴とするベースバンド変調方法。
【請求項２】
ＱＰＳＫによる拡散変調を１次変調方式として用いるＣＤＭＡ通信システムのベースバンド変調装置において、
高速情報伝送の指示があるとき入力される複数系列の送信情報のうち任意の１系列の送信情報を複数系列にシリアル／パラレル変換して複数の拡散変調手段に供給し、高速情報伝送の指示がないとき入力される複数系列の送信情報をそのまま前記複数の拡散変調手段に供給するスイッチ手段と、
前記複数の拡散変調手段で拡散変調された信号を加算多重して出力する加算多重手段を
有することを特徴とするベースバンド変調装置。
【請求項３】
請求項２記載のベースバンド変調装置において、
ダイバーシティ実行の指示があるとき前記複数の拡散変調手段で拡散変調された信号それぞれの位相を回転する位相制御手段を
有することを特徴とするベースバンド変調装置。
【請求項４】
請求項２記載のベースバンド変調装置において、
前記複数の拡散変調手段で拡散変調された信号それぞれの位相を回転制御する位相制御手段と、
複数の拡散変調手段で拡散変調された信号それぞれの振幅を制御する振幅制御手段と、
前記加算多重手段出力の信号点が複素信号平面の実軸または虚軸上に存在しないように前記位相制御手段及び前記振幅制御手段を制御する軸上信号点制御手段を
有することを特徴とするベースバンド変調装置。
【請求項５】
請求項１記載のベースバンド変調装置において、
前記複数の拡散変調手段で拡散変調された信号それぞれについて±π／４［ｒａｄ］または±３π／４［ｒａｄ］の位相制御を行う位相制御手段を
有することを特徴とするベースバンド変調装置。
【発明の詳細な説明】
【０００１】
【発明の属する技術分野】
本発明は、ベースバンド変調方法及びその装置に関し、ＱＰＳＫ（Ｑｕａｄｒａｔｕｒｅ　Ｐｈａｓｅ　Ｓｈｉｆｔ　Ｋｅｙｉｎｇ）による拡散変調を１次変調方式として用いるＣＤＭＡ（Ｃｏｄｅ　Ｄｉｖｉｓｉｏｎ　ＭｕｌｔｉｐｌｅＡｃｃｅｓｓ：符号分割多元接続）通信におけるベースバンド変調方法及びその装置に関する。
【０００２】
【従来の技術】
ＩＭＴ−２０００に代表される次世代携帯電話システムでは、ＨＳＤＰＡ（Ｈｉｇｈ　Ｓｐｅｅｄ　Ｄｏｗｎｌｉｎｋ　Ｐａｃｋｅｔ　Ａｃｃｅｓｓ）と呼ばれる高速情報伝送の実現が要求されており、システムを普及させるために、装置の小型化、省電力化も望まれている。
【０００３】
従来のＩＭＴ−２０００の変調装置では、図１に示すような構成のＤＴＸ（送信停止）機能を持ったＱＰＳＫが採用されている。同図中、乗算回路１０ａ〜１０ｄで拡散符号１，２と送信情報１，２を乗算し、各乗算結果をアンド回路１１ａ〜１１ｄで送信停止１，２とアンド演算し、アンド回路１１ａ，１１ｂ出力を加算回路１２ａで減算して変調出力Ｉを得、アンド回路１１ｃ，１１ｄ出力を加算回路１２ｂで加算して変調出力Ｑを得ている。
【０００４】
ここでは、２値（±１）の実軸、虚軸成分に対して送信停止（０）の値を加えることで、この変調方式による複素平面上における信号点配置は、図２に示すように５点となる。
【０００５】
更に、図３に示すように位相回転回路１３ａ，１３ｂを追加すると信号点配置は図４に示すように９点となり、同一の情報を、位相をずらして送出することにより送信ダイバーシティを実現することができる構成となっている。
【０００６】
【発明が解決しようとする課題】
しかしながら、ＨＳＤＰＡを実現しようとする場合には、従来方式よりも高速な情報伝送が可能な適応変調方式等を従来の変調器とは別に新たに設ける必要があり、回路規模と消費電力が増大するという問題があった。
【０００７】
本発明は、上記の点に鑑みなされたものであり、回路規模と消費電力を増大させることなく、大容量高速伝送機能を実現することができるベースバンド変調方法及びその装置を提供することを目的とする。
【０００８】
【課題を解決するための手段】
請求項１または２に記載の発明は、高速情報伝送の指示があるとき入力される複数系列の送信情報のうち任意の１系列の送信情報を複数系列にシリアル／パラレル変換して複数の拡散変調手段に供給し、高速情報伝送の指示がないとき入力される複数系列の送信情報をそのまま前記複数の拡散変調手段に供給し、
複数の拡散変調手段で拡散変調された信号を加算多重して出力することにより、
複数の拡散変調手段を１つの送信情報のために使用して並列伝送することができ、ＨＳＤＰＡの高速大容量の情報伝送が可能となる。
【０００９】
請求項３に記載の発明は、ダイバーシティ実行の指示があるとき複数の拡散変調手段で拡散変調された信号それぞれの位相を回転する位相制御手段を有することにより、
送信ダイバーシティが可能となる。
【００１０】
請求項４に記載の発明は、複数の拡散変調手段で拡散変調された信号それぞれの位相を回転制御する位相制御手段と、
前記複数の拡散変調手段で拡散変調された信号それぞれの振幅を制御する振幅制御手段と、
前記加算多重手段出力の信号点が複素信号平面の実軸または虚軸上に存在しないように前記位相制御手段及び前記振幅制御手段を制御する軸上信号点制御手段を有することにより、
出力段の電力増幅器のダイナミックレンジを節約することができ、消費電力や電力増幅部におけるコストを削減できる。
【００１１】
請求項５に記載の発明は、複数の拡散変調手段で拡散変調された信号それぞれについて±π／４［ｒａｄ］または±３π／４［ｒａｄ］の位相制御を行う位相制御手段を有することにより、
加算多重できるチャネル数を増加することができる。
【００１２】
【発明の実施の形態】
図５は、本発明のベースバンド変調装置の第１実施例の原理図を示す。同図中、任意の送信情報系列を高速伝送するために、この送信情報系列をスイッチ制御部２６の制御の基にスイッチ部２０で複数系列にシリアル／パラレル変換してＱＰＳＫ変調器２２１〜２２Ｎに供給し、ＱＰＳＫ変調器２２１〜２２Ｎにより拡散符号系列１〜Ｎで拡散変調を行う。この後、加算器２４により加算多重して出力する。なお、どのチャネルで高速伝送を行うかのチャネル情報は制御信号チャネルを用いて受信側に伝送する。このような構成にすると、加算器２４の出力における信号点配置は実軸と虚軸が共に多値レベルであることからＱＡＭ変調と同じになる。
【００１３】
図６は、本発明のベースバンド変調装置の第１実施例のブロック図を示す。同図中、外部から供給されるＮ系列の送信情報はスイッチ部２０に供給され、スイッチ制御部２６の制御によってスイッチングされて拡散変調部としてのＱＰＳＫ変調器２２１〜２２Ｎに供給される。スイッチ部２０は、通常モード時に入力されるＮ系列の送信情報をＮ系列の送信情報として出力し、ＨＳＤＰＡモード時に入力されるＮ系列の送信情報のうちの１系列もしくは複数系列を必要とされる伝送レートに応じたＭ系列の送信情報にシリアル／パラレル変換して出力する。
【００１４】
図７に、スイッチ制御部２６の一実施例の構成図を示す。同図中、端子２７，２８，２９に機能選択信号としてイネーブル信号，使用リソース数情報，スロット同期信号が供給される。イネーブル信号が０の通常モード時にセレクタ３０はレジスタ３１の出力する固定値を選択出力し、イネーブル信号が１のＨＳＤＰＡモード時にセレクタ３０は巡回カウンタ３２の出力値を選択出力する。セレクタ３０の出力は入力側のポート番号としてスイッチ部２０に供給される。
【００１５】
なお、レジスタ３１の固定値は、通常モード時に当該送信情報を出力するスイッチ部２０のポート番号に相当し、この値は図示しない上位装置により設定可能とされている。
【００１６】
巡回カウンタ３２は使用リソース数情報Ｍをロードされたのち、スロット同期信号の供給によりカウントを行い、カウント値１〜Ｍを出力する。このカウント値はセレクタ３０に供給されると共に、出力側のポート番号としてスイッチ部２０に供給される。これによって、スイッチ部２０の出力側のポート番号１〜Ｍが巡回的に指定される。
【００１７】
図６に示す物理チャネル毎に割り当てられたＱＰＳＫ変調器２２１〜２２Ｎそれぞれは、拡散符号発生回路３４１〜３４Ｎから互いに異なる拡散符号系列１〜Ｎそれぞれの拡散符号Ｉ，Ｑを供給される。拡散符号発生回路３４１〜３４Ｎそれぞれは、拡散符号発生回路３４１について詳細な回路構成を示すように、ゴールド符号系列の拡散符号Ｉ，Ｑを発生している。
【００１８】
ＱＰＳＫ変調器２２１〜２２Ｎそれぞれは、ＱＰＳＫ変調器２２１の詳細な回路構成を示すように、乗算回路３５ａ〜３５ｄで拡散符号Ｉ，Ｑと送信情報１ａ，１ｂを乗算し、加算回路３６ａで乗算回路３５ａ出力から３５ｂ出力を減算すると共に、加算回路３６ａで乗算回路３５ａ，３５ｂ出力を加算して変調出力Ｉ，Ｑを得ている。ＱＰＳＫ変調器２２１〜２２Ｎそれぞれの出力する変調出力は加算器２４で加算多重されて出力される。
【００１９】
このように、拡散変調部としてのＱＰＳＫ変調器が物理チャネル毎に割り当てられ、かつ、拡散変調後に加算多重されるような構成の変調装置において、複数の（Ｍ個の）ＱＰＳＫ変調器を１つの送信情報のために使用して並列伝送することができることから、簡易な回路の変更によりＨＳＤＰＡの大容量な情報伝送が可能となる。
【００２０】
図８は、本発明のベースバンド変調装置の第２実施例の原理図を示す。同図中、図５と同一部分には同一符号を付す。図８において、任意の送信情報系列を高速伝送するために、この送信情報系列をスイッチ制御部２６の制御の基にスイッチ部２０で複数系列にシリアル／パラレル変換してＱＰＳＫ変調器２２１〜２２Ｎに供給し、ＱＰＳＫ変調器２２１〜２２Ｎにより拡散符号系列１〜Ｎで拡散変調を行う。ＱＰＳＫ変調器２２１〜２２Ｎの出力する変調出力は、位相制御回路４０１〜４０Ｎに供給される。
【００２１】
位相制御信号発生装置４２はダイバーシティ実行命令を供給されると、位相制御回路４０１〜４０Ｎにπ／４［ｒａｄ］ステップの位相制御係数を供給する。位相制御回路４０１〜４０ＮはＱＰＳＫ変調器２２１〜２２Ｎの出力する変調出力を上記位相制御係数だけ回転させる。なお、ＱＰＳＫ変調器２２１〜２２Ｎの回転量は同一である。この後、各変調出力を加算器２４により加算多重して出力する。なお、送信ダイバーシティは図５に示すベースバンド変調装置を複数用意して、これらのベースバンド変調装置に同一データを供給し、各ベースバンド変調装置間で位相制御係数を異ならしめることで実行する。また、送信ダイバーシティを行うチャネル情報と、各物理チャネルの位相制御係数は制御信号チャネルを用いて受信側に伝送する。
【００２２】
図９は、本発明のベースバンド変調装置の第２実施例のブロック図を示す。同図中、図６と同一部分には同一符号を付す。図９において、外部から供給されるＮ系列の送信情報はスイッチ部２０に供給され、スイッチ制御部２６の制御によってスイッチングされて拡散変調部としてのＱＰＳＫ変調器２２１〜２２Ｎに供給される。スイッチ部２０は、図７に示す構成のスイッチ制御部２６の制御によって、通常モード時に入力されるＮ系列の送信情報をＮ系列の送信情報として出力し、ＨＳＤＰＡモード時に入力されるＮ系列の送信情報のうちの１系列もしくは複数系列を必要とされる伝送レートに応じたＭ系列の送信情報にシリアル／パラレル変換して出力する。
【００２３】
物理チャネル毎に割り当てられたＱＰＳＫ変調器２２１〜２２Ｎそれぞれは、拡散符号発生回路３４１〜３４Ｎから互いに異なる拡散符号系列１〜Ｎそれぞれの拡散符号Ｉ，Ｑを供給される。拡散符号発生回路３４１〜３４Ｎそれぞれは、拡散符号発生回路３４１について詳細な回路構成を示すように、ゴールド符号系列の拡散符号Ｉ，Ｑを発生している。
【００２４】
ＱＰＳＫ変調器２２１〜２２Ｎそれぞれは、ＱＰＳＫ変調器２２１の詳細な回路構成を示すように、乗算回路３５ａ〜３５ｄで拡散符号Ｉ，Ｑと送信情報１ａ，１ｂを乗算し、加算回路３６ａで乗算回路３５ａ出力から３５ｂ出力を減算すると共に、加算回路３６ａで乗算回路３５ａ，３５ｂ出力を加算して変調出力Ｉ，Ｑを得ている。ＱＰＳＫ変調器２２１〜２２Ｎそれぞれの出力する変調出力は、位相制御回路４０１〜４０Ｎに供給される。
【００２５】
位相制御信号発生装置４２は図示しない上位装置からダイバーシティ実行命令を供給されると、ダイバーシティ実行命令に基づいてπ／４［ｒａｄ］ステップの位相制御係数を生成し、位相制御回路４０１〜４０Ｎに供給する。位相制御回路４０１〜４０Ｎは、ＱＰＳＫ変調器２２１〜２２Ｎの出力する変調出力を上記位相制御係数だけ回転させ、この後、加算器２４により加算多重する。
【００２６】
このように、ベースバンド変調装置を複数用意して、これらのベースバンド変調装置に同一データを供給し、各ベースバンド変調装置間で位相制御係数を異ならしめることで、送信ダイバーシティが可能となり、通信品質が向上する。
【００２７】
図１０は、本発明のベースバンド変調装置の第３実施例の原理図を示す。同図中、図８と同一部分には同一符号を付す。図１０において、任意の送信情報系列を高速伝送するために、この送信情報系列をスイッチ制御部２６の制御の基にスイッチ部２０で複数系列にシリアル／パラレル変換してＱＰＳＫ変調器２２１〜２２Ｎに供給し、ＱＰＳＫ変調器２２１〜２２Ｎにより拡散符号系列１〜Ｎで拡散変調を行う。ＱＰＳＫ変調器２２１〜２２Ｎの出力する変調出力は、位相制御回路４０１〜４０Ｎに供給される。
【００２８】
位相制御信号発生装置４４は図示しない上位装置からダイバーシティ実行命令を供給されると、ダイバーシティ実行命令に基づいてπ／４［ｒａｄ］ステップの位相制御係数を生成し、位相制御回路４０１〜４０Ｎに供給する。また、振幅制御発生装置４８はダイバーシティ実行命令を供給されると振幅制御係数を生成し、振幅制御回路５０１〜５０Ｎに供給する。
【００２９】
軸上信号点検出装置４６は、スイッチ部２０の出力する複数系列の送信情報と拡散符号系列１〜Ｎとを供給されて、加算器２４出力の多重信号の信号点が複素信号平面の実軸または虚軸上に存在するおそれを検出し、このおそれが有るときは位相制御信号発生装置４４と振幅制御発生装置４８を制御して位相制御係数と振幅制御係数を変更させる。
【００３０】
位相制御回路４０１〜４０Ｎは、ＱＰＳＫ変調器２２１〜２２Ｎの出力する変調出力を位相制御係数だけ回転させ、また、振幅制御回路５０１〜５０Ｎは振幅制御係数を変調出力に乗算する。この後、各変調出力を加算器２４により加算多重して出力する。
【００３１】
図１１は、本発明のベースバンド変調装置の第３実施例のブロック図を示す。同図中、図９と同一部分には同一符号を付す。図１１において、外部から供給されるＮ系列の送信情報はスイッチ部２０に供給され、スイッチ制御部２６の制御によってスイッチングされて拡散変調部としてのＱＰＳＫ変調器２２１〜２２Ｎに供給される。スイッチ部２０は、図７に示す構成のスイッチ制御部２６の制御によって、通常モード時に入力されるＮ系列の送信情報をＮ系列の送信情報として出力し、ＨＳＤＰＡモード時に入力されるＮ系列の送信情報のうちの１系列もしくは複数系列を必要とされる伝送レートに応じたＭ系列の送信情報にシリアル／パラレル変換して出力する。
【００３２】
物理チャネル毎に割り当てられたＱＰＳＫ変調器２２１〜２２Ｎそれぞれは、拡散符号発生回路３４１〜３４Ｎから互いに異なる拡散符号系列１〜Ｎそれぞれの拡散符号Ｉ，Ｑを供給される。拡散符号発生回路３４１〜３４Ｎそれぞれは、拡散符号発生回路３４１について詳細な回路構成を示すように、ゴールド符号系列の拡散符号Ｉ，Ｑを発生している。
【００３３】
ＱＰＳＫ変調器２２１〜２２Ｎそれぞれは、ＱＰＳＫ変調器２２１の詳細な回路構成を示すように、乗算回路３５ａ〜３５ｄで拡散符号Ｉ，Ｑと送信情報１ａ，１ｂを乗算し、乗算回路３５ａ，３５ｂ出力を加算回路３６ａで減算すると共に、乗算回路３５ａ，３５ｂ出力を加算回路３６ａで加算して変調出力Ｉ，Ｑを得ている。ＱＰＳＫ変調器２２１〜２２Ｎそれぞれの出力する変調出力は、位相制御回路４０１〜４０Ｎに供給される。
【００３４】
位相制御信号発生装置４２は図示しない上位装置からダイバーシティ実行命令を供給されると、ダイバーシティ実行命令に基づいてπ／４［ｒａｄ］ステップの位相制御係数を生成し、位相制御回路４０１〜４０Ｎに供給する。また、振幅制御発生装置４８はダイバーシティ実行命令を供給されると振幅制御係数を生成し、振幅制御回路５０１〜５０Ｎに供給する。
【００３５】
軸上信号点検出装置４６は、スイッチ部２０の出力する複数系列の送信情報と拡散符号系列１〜Ｎとを供給されて、加算器２４出力の多重信号の信号点が複素信号平面の実軸または虚軸上に存在するおそれを検出し、このおそれが有るときは位相制御信号発生装置４４と振幅制御発生装置４８を制御して位相制御係数と振幅制御係数を変更させる。
【００３６】
位相制御回路４０１〜４０Ｎは、ＱＰＳＫ変調器２２１〜２２Ｎの出力する変調出力を位相制御係数だけ回転させ、また、振幅制御回路５０１〜５０Ｎは振幅制御係数を変調出力に乗算する。この後、各変調出力を加算器２４により加算多重して出力する。
【００３７】
この実施例では、複素信号平面の実軸または虚軸成分がゼロになる多重信号の信号点が無くなり、出力段の電力増幅器のダイナミックレンジを節約することができ、消費電力や電力増幅部におけるコスト削減が可能となる。
【００３８】
図１２は、本発明のベースバンド変調装置の第４実施例の原理図を示す。同図中、図１０と同一部分には同一符号を付す。図１２において、任意の送信情報系列の高速伝送、または送信ダイバーシティを行うために、指定された送信情報系列をスイッチ部２０で複数の系列にシリアル／パラレル変換、または複数系列に分岐してＱＰＳＫ変調器２２１〜２２Ｎに供給し、ＱＰＳＫ変調器２２１〜２２Ｎにより拡散符号系列１〜Ｎで拡散変調を行う。ＱＰＳＫ変調器２２１〜２２Ｎの出力する変調出力は、位相制御回路４０１〜４０Ｎに供給される。
【００３９】
位相制御信号発生装置４７は物理チャネル単位で±π／４［ｒａｄ］または±３π／４［ｒａｄ］の位相制御係数を生成し、位相制御回路４０１〜４０Ｎそれぞれに供給する。位相制御回路４０１〜４０Ｎは、ＱＰＳＫ変調器２２１〜２２Ｎの出力する変調出力を上記決定位相制御係数だけ回転させる。この後、各変調出力を加算器２４により加算多重して出力する。
【００４０】
図１３は、本発明のベースバンド変調装置の第４実施例のブロック図を示す。同図中、図１１と同一部分には同一符号を付す。図１３において、外部から供給されるＮ系列の送信情報はスイッチ部２０に供給され、スイッチ制御部２６の制御によってスイッチングされて拡散変調部としてのＱＰＳＫ変調器２２１〜２２Ｎに供給される。スイッチ部２０は、図７に示す構成のスイッチ制御部２６の制御によって、通常モード時に入力されるＮ系列の送信情報をＮ系列の送信情報として出力し、ＨＳＤＰＡモード時に入力されるＮ系列の送信情報のうちの１系列もしくは複数系列を必要とされる伝送レートに応じたＭ系列の送信情報にシリアル／パラレル変換して出力する。
【００４１】
物理チャネル毎に割り当てられたＱＰＳＫ変調器２２１〜２２Ｎそれぞれは、拡散符号発生回路３４１〜３４Ｎから互いに異なる拡散符号系列１〜Ｎそれぞれの拡散符号Ｉ，Ｑを供給される。拡散符号発生回路３４１〜３４Ｎそれぞれは、拡散符号発生回路３４１について詳細な回路構成を示すように、ゴールド符号系列の拡散符号Ｉ，Ｑを発生している。
【００４２】
ＱＰＳＫ変調器２２１〜２２Ｎそれぞれは、ＱＰＳＫ変調器２２１の詳細な回路構成を示すように、乗算回路３５ａ〜３５ｄで拡散符号Ｉ，Ｑと送信情報１ａ，１ｂを乗算し、加算回路３６ａで乗算回路３５ａ出力から３５ｂ出力を減算すると共に、加算回路３６ａで乗算回路３５ａ，３５ｂ出力を加算して変調出力Ｉ，Ｑを得ている。ＱＰＳＫ変調器２２１〜２２Ｎそれぞれの出力する変調出力は、位相制御回路４０１〜４０Ｎに供給される。
【００４３】
位相制御信号発生装置４７は物理チャネル単位で±π／４［ｒａｄ］または±３π／４［ｒａｄ］の位相制御係数を生成し、位相制御回路４０１〜４０Ｎそれぞれに供給する。位相制御回路４０１〜４０Ｎは、ＱＰＳＫ変調器２２１〜２２Ｎの出力する変調出力を上記位相制御係数だけ回転させ、この後、加算器２４により加算多重する。
【００４４】
この実施例においては、位相回転を行わない場合にｍチャネルの変調出力を多重できるとしたとき、位相回転を行うことによって、３×ｍチャネルの変調出力を多重でき、多重チャネル数を増大できる。
【００４５】
図１４は、本発明のベースバンド変調装置の第５実施例のブロック図を示す。この第５実施例は第１実施例の変形であり、図６に示す第１実施例と同一部分には同一符号を付し、その説明を省略する。図１４において、物理チャネル毎に割り当てられたＱＰＳＫ変調器５２１〜５２Ｎそれぞれは、拡散符号発生回路３４１〜３４Ｎから互いに異なる拡散符号系列１〜Ｎそれぞれの拡散符号Ｉ，Ｑを供給される。拡散符号発生回路３４１〜３４Ｎそれぞれは、拡散符号発生回路３４１について詳細な回路構成を示すように、ゴールド符号系列の拡散符号Ｉ，Ｑを発生している。
【００４６】
ＱＰＳＫ変調器５２１〜５２Ｎそれぞれは、ＱＰＳＫ変調器５２１の詳細な回路構成を示すように、乗算回路３５ａ〜３５ｄで拡散符号Ｉ，Ｑと送信情報１ａ，１ｂを乗算して加算器５４に供給する。加算器５４ではＱＰＳＫ変調器５２１〜５２Ｎそれぞれの乗算回路３５ａ出力から３５ｂ出力を減算すると共に、乗算回路３５ａ，３５ｂ出力を加算して多重変調出力Ｉ，Ｑを得て出力する。
【００４７】
この実施例では、本来個別のＱＰＳＫ変調器が持っていたＱＰＳＫのための加算機能（加算器３６ａ，３６ｂ）を、多重を行う加算器５４の機能に統合することによって各個別のＱＰＳＫ変調器の回路規模を削減し、消費電力を抑えることが可能になる。
【００４８】
なお、ＱＰＳＫ変調器２２１〜２２Ｎが請求項記載の拡散変調手段に対応し、スイッチ部２０，スイッチ制御部２６がスイッチ手段に対応し、加算器２４が加算多重手段に対応し、位相制御回路４０１〜４０Ｎ，位相制御信号発生装置４２，４４が位相回転手段に対応し、振幅制御信号発生装置４８が振幅制御手段に対応し、軸上信号点検出装置４６が軸上信号点制御手段に対応する。
【００４９】
（付記１）　ＱＰＳＫによる拡散変調を１次変調方式として用いるＣＤＭＡ通信システムのベースバンド変調方法において、
高速情報伝送の指示があるとき入力される複数系列の送信情報のうち任意の１系列の送信情報を複数系列にシリアル／パラレル変換して複数の拡散変調手段に供給し、高速情報伝送の指示がないとき入力される複数系列の送信情報をそのまま前記複数の拡散変調手段に供給し、
前記複数の拡散変調手段で拡散変調された信号を加算多重して出力することを特徴とするベースバンド変調方法。
【００５０】
（付記２）　ＱＰＳＫによる拡散変調を１次変調方式として用いるＣＤＭＡ通信システムのベースバンド変調装置において、
高速情報伝送の指示があるとき入力される複数系列の送信情報のうち任意の１系列の送信情報を複数系列にシリアル／パラレル変換して複数の拡散変調手段に供給し、高速情報伝送の指示がないとき入力される複数系列の送信情報をそのまま前記複数の拡散変調手段に供給するスイッチ手段と、
前記複数の拡散変調手段で拡散変調された信号を加算多重して出力する加算多重手段を
有することを特徴とするベースバンド変調装置。
【００５１】
（付記３）　付記２記載のベースバンド変調装置において、
ダイバーシティ実行の指示があるとき前記複数の拡散変調手段で拡散変調された信号それぞれの位相を回転する位相制御手段を
有することを特徴とするベースバンド変調装置。
【００５２】
（付記４）　付記２記載のベースバンド変調装置において、
前記複数の拡散変調手段で拡散変調された信号それぞれの位相を回転制御する位相制御手段と、
前記複数の拡散変調手段で拡散変調された信号それぞれの振幅を制御する振幅制御手段と、
前記加算多重手段出力の信号点が複素信号平面の実軸または虚軸上に存在しないように前記位相制御手段及び前記振幅制御手段を制御する軸上信号点制御手段を
有することを特徴とするベースバンド変調装置。
【００５３】
（付記５）　付記２記載のベースバンド変調装置において、
前記複数の拡散変調手段で拡散変調された信号それぞれについて±π／４［ｒａｄ］または±３π／４［ｒａｄ］の位相制御を行う位相制御手段を
有することを特徴とするベースバンド変調装置。
【００５４】
（付記６）　付記１乃至５のいずれか記載のベースバンド変調装置において、
前記複数の拡散変調手段は、送信情報と拡散符号の乗算信号を加減算する加算回路を持たず、前記乗算信号を前記加算多重手段で加減算することを特徴とするベースバンド変調装置。
【００５５】
【発明の効果】
上述の如く、請求項１または２に記載の発明によれば、複数の拡散変調手段を１つの送信情報のために使用して並列伝送することができ、ＨＳＤＰＡの高速大容量の情報伝送が可能となる。
【００５６】
請求項３に記載の発明によれば、送信ダイバーシティが可能となる。
【００５７】
請求項４に記載の発明によれば、出力段の電力増幅器のダイナミックレンジを節約することができ、消費電力や電力増幅部におけるコストを削減できる。
【００５８】
請求項５に記載の発明によれば、加算多重できるチャネル数を増加することができる。
【図面の簡単な説明】
【図１】従来のＱＰＳＫ変調器の構成例を示す図である。
【図２】図１の回路の信号点配置を示す図である。
【図３】従来のＱＰＳＫ変調器の構成例を示す図である。
【図４】図３の回路の信号点配置を示す図である。
【図５】本発明のベースバンド変調装置の第１実施例の原理図である。
【図６】本発明のベースバンド変調装置の第１実施例のブロック図である。
【図７】スイッチ制御部２６の一実施例の構成図である。
【図８】本発明のベースバンド変調装置の第２実施例の原理図である。
【図９】本発明のベースバンド変調装置の第２実施例のブロック図である。
【図１０】本発明のベースバンド変調装置の第３実施例の原理図である。
【図１１】本発明のベースバンド変調装置の第３実施例のブロック図である。
【図１２】本発明のベースバンド変調装置の第４実施例の原理図である。
【図１３】本発明のベースバンド変調装置の第４実施例のブロック図である。
【図１４】本発明のベースバンド変調装置の第５実施例のブロック図である。
【符号の説明】
２０　スイッチ部
２２１〜２２Ｎ　ＱＰＳＫ変調器
２４　加算器
２６　スイッチ制御部
３０　セレクタ
３１　レジスタ
３２　巡回カウンタ
３４１〜３４Ｎ　拡散符号発生回路
３５ａ〜３５ｄ　乗算回路
３６ａ，３６ｂ　加算回路
４０１〜４０Ｎ　位相制御回路
４２，４４　位相制御信号発生装置
４６　軸上信号点検出装置
【図１】
2004064154.tif 000003
【図２】
2004064154.tif 000004
【図３】
2004064154.tif 000005
【図４】
2004064154.tif 000006
【図５】
2004064154.tif 000007
【図６】
2004064154.tif 000008
【図７】
2004064154.tif 000009
【図８】
2004064154.tif 000010
【図９】
2004064154.tif 000011
【図１０】
2004064154.tif 000012
【図１１】
2004064154.tif 000013
【図１２】
2004064154.tif 000014
【図１３】
2004064154.tif 000015
【図１４】
2004064154.tif 000016